(57)【要約】【課題】原油タンカー、天然ガス運搬船や鉱石運搬船等のバラスト水は、荷揚げを行った水域において、その水域の海水や淡水を船の中に注入する。この船が再び船荷を積み込むために次の港に移動し、船内のバラスト水を船荷を積み込むために寄港水域で排出する。しかし、バラスト水の中の油分や、積載したバラスト水中のバクテリアやプランクトン等の汚濁物が寄港水域に放出されることによって、油分で物理的に汚染されたり、異種のバクテリアやプランクトンが異常繁殖して赤潮を発生したり、貝毒性のプランクトンが増殖したりして、魚や貝の養殖等に漁業被害が発生する国際的な問題が発生する。【解決手段】上記目的は、荷揚げをする寄港の水域や沿岸水域もしくは寄港後の航路の途中の水域や沿岸水域において、浄化装置を備えた浄化水供給システムを設け、この浄化水を荷揚げ後の船にバラスト水として供給する。また、前記浄化水供給システムをバラスト水放出水域に設ける。【選択図】　図１
2004025040.tif 000002
【特許請求の範囲】
【請求項１】
荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有したことを特徴とする浄化装置および浄化水供給システム。
【請求項２】
荷揚げ後船舶にバラスト水を排出する水域において、前記排出するバラスト水を前記水域と隔離して貯留するバラスト水貯留手段と、前記バラスト水貯留手段内のバラスト水を浄化する浄化手段と、前記浄化手段で浄化した浄化バラスト水を前記水域に放出する放出手段を有したことを特徴とする浄化装置および浄化水供給システム。
【請求項３】
荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有し、前記浄化水の水質分析データと前記浄化水を有料で供給することを特徴とする浄化装置および浄化水供給システム。
【請求項４】
荷揚げ後船舶にバラスト水を注入する水域において、軟水を浄化する浄化手段と、前記浄化手段で浄化した軟水を貯留する浄化水貯留手段と、前記浄化水貯留手段の浄化水を船舶等に供給する供給手段を有したことを特徴とする浄化装置および浄化水供給システム。
【請求項５】
荷揚げ後船舶に軟水のバラスト水を排出する水域において、前記排出するバラスト水を前記水域と隔離して貯留するバラスト水貯留手段と、前記バラスト水貯留手段内のバラスト水を浄化する浄化手段と、前記浄化手段で浄化した浄化バラスト水を浄化軟水として供給する軟水供給手段を有したことを特徴とする浄化装置および浄化水供給システム。
【請求項６】
荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有し、前記浄化水の水質分析データと前記浄化水の量のデータを、インターネットで配信し、前記船舶が寄港する水域の水質管理該当者が前記水質分析データと前記浄化水の量のデータを受信できることを特徴とする浄化装置および浄化水供給システム。
【発明の詳細な説明】
【０００１】
【発明の属する技術分野】
本発明は、浄化装置および浄化水供給システムに関するものである。
【０００２】
【従来の技術】
原油タンカー、天然ガス運搬船や鉱石運搬船等は荷揚げ後、船が軽くなってしまいバランスがとれなくなってしまう。従って、荷揚げを行った水域の海水や淡水（以下、バラスト水という）を空になった船内に注入して積荷の積載状態に戻して帰港している。注入されたバラスト水は次の寄港地、或いは帰港地で次の積荷を積荷する直前に海に放出している。
【０００３】
しかし、放出するバラスト水の中には油分や、積載したバラスト水中のバクテリアやプランクトン等の汚濁物が含まれており、これらの汚濁物が寄港水域に放出されると、油分で物理的に汚染されたり、異種のバクテリアやプランクトンが異常繁殖して赤潮を発生したり、貝毒性のプランクトンが増殖したりして、魚や貝の養殖等に漁業被害が発生する国際的な問題が発生する可能性がある。
【０００４】
これを回避するためには、船内バラスト水中の汚濁物を除去するために、船内にバラスト水専用の浄化装置を設ける場合や、船内のバラウスト水を水深２０００ｍ以上の洋上で、プランクトンが比較的少ないその洋上海水と、船内のバラスト水を交換する場合がある。
【０００５】
また、船内で浄化処理を行わないバラスト水を放水された水域では、水域の水で希釈された水を持ち込まれた汚濁物を除去する浄化処理方法がある。
【０００６】
尚、この種の従来技術として例えば特開２００１−２９３４７４号公報がある。
【０００７】
【発明が解決しようとする課題】
上述した従来の処理方法において船内で浄化する方法では、前期浄化装置は高価であり、また運転を行うには船員に浄化作業や装置メンテナンス等の労働負担が発生する問題がある。
【０００８】
また、船内の電力を使用して浄化運転を行うため、場合によっては船内の電源設備を増設する必要があり、さらに浄化装置設置コストが増大する問題が発生する。
【０００９】
いっぽう、従来の処理方法において、船内のバラスト水を水深２０００ｍ以上の洋上で、プランクトンが比較的少ないその洋上海水と、船内のバラスト水を交換する方法では、水深２０００ｍ以上の海域まで航行する必要があり、航路途中に該当する海域がない場合には、その海域移動する費用が必要となりまた航行日数が増加し、商用航海の効率が低下する問題が発生する。
【００１０】
また、前記の船内のバラスト水を交換する方法では、航行の上で天候が穏やかな場合でないと危険であるため実施できない問題や、通常交換方法は船内のバラスト水に追加して洋上海水を注入し、オーバーフローさせながらバラスト水を希釈して浄化する方法が一般的であり、元の汚濁物の濃度が２０％から３０％程度の濃度にしか浄化できない問題が発生する。
【００１１】
いっぽう、船内で浄化処理を行わないバラスト水を放水された水域では、水産業への被害を防止するために、水域の水で希釈された水を持ち込まれた汚濁物を除去する浄化処理を行う方法があるが、放水して水域で薄まった多量の水を浄化する必要があり、多大の浄化費用が発生する問題がある。
【００１２】
また、軟水をバラスト水として使用しなければならない場合には、水深が２０００ｍを超える水域が存在しないので、上述した従来の処理方法において船内で浄化する方法しか採れず、浄化装置は高価であり、また運転を行うには船員に浄化作業や装置メンテナンス等の労働負担が発生する問題がある。また、船内の電力を使用して浄化運転を行うため、場合によっては船内の電源設備を増設する必要があり、さらに浄化装置設置コストが増大する問題が発生する。
【００１３】
本発明の目的は、油やプランクトン等の汚濁物で海洋汚染されにくい浄化装置および浄化水供給システムを提供することにある。
【００１４】
【課題を解決するための手段】
上記目的は、荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有したことにより達成される。
【００１５】
上記目的は、荷揚げ後船舶にバラスト水を排出する水域において、前記排出するバラスト水を前記水域と隔離して貯留するバラスト水貯留手段と、前記バラスト水貯留手段内のバラスト水を浄化する浄化手段と、前記浄化手段で浄化した浄化バラスト水を前記水域に放出する放出手段を有したことにより達成される。
【００１６】
また、上記目的は、荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有し、前記浄化水の水質分析データと前記浄化水を有料で供給することにより達成される。
【００１７】
また、上記目的は、荷揚げ後船舶にバラスト水を注入する水域において、軟水を浄化する浄化手段と、前記浄化手段で浄化した軟水を貯留する浄化水貯留手段と、前記浄化水貯留手段の浄化水を船舶等に供給する供給手段を有したことにより達成される。
【００１８】
また、上記目的は、荷揚げ後船舶に軟水のバラスト水を排出する水域において、前記排出するバラスト水を前記水域と隔離して貯留するバラスト水貯留手段と、前記バラスト水貯留手段内のバラスト水を浄化する浄化手段と、前記浄化手段で浄化した浄化バラスト水を浄化軟水として供給する軟水供給手段を有したことにより達成される。
【００１９】
また、上記目的は、荷揚げ後船舶にバラスト水を注入する水域において、前記水域の水を浄化する浄化手段と、前記浄化手段で浄化した水を貯留する浄化水貯留手段と、前記浄化水貯留手段の浄化水を船舶等に供給する供給手段を有し、前記浄化水の水質分析データと前記浄化水の量のデータを、インターネットで配信し、前記船舶が寄港する水域の水質管理該当者が前記水質分析データと前記浄化水の量のデータを受信できることことにより達成される。
【００２０】
【発明の実施の形態】
以下、本発明の一実施例を図１により説明する。
図１において、プランクトンや有害微生物が存在する水域１内に、浄化手段となる浄化装置２を有する浄化水供給システム３を配置する。浄化水供給システム３は、水域の原水を導入する配管４と、この原水を浄化処理し、浄化処理によって生じる汚泥を減容化処理する浄化装置２と、浄化水５を排出する配管６と、この浄化水５を保留する水槽７と、この水槽７内の処理水５を水槽７外に供給するための配管８と、ポンプ９と、配管１０から構成される。
【００２１】
処理水５は、配管１０により、例えばバラスト水としてポンプ９で加圧され配管１０を通じて水域１内に停泊する船舶１１に例えば有料で供給される。浄化手段となる浄化装置２の浄化方式としては、凝集沈殿方式、紫外線殺菌式と沈殿方式の組み合わせや、超音波による殺菌式と沈殿方式の組み合わせや、水圧噴射による殺菌式と沈殿方式の組み合わせや、加圧浮上による凝集浮上分離方式や、紐状の生物膜処理方式や、磁気分離を組み合わせた凝集分離方式等の物理的、生物的浄化方式の浄化装置が適用される。
【００２２】
図１の浄化装置および浄化水供給システムによれば、水域１の原水中に存在する水の中の油分や、バクテリアやプランクトン等の汚濁物は、浄化装置２内を通水させることにより原水中の汚濁物を９０％以上の高い除去率で除去して浄化され、浄化水５となって水槽７に貯水され、これがバラスト水として船舶１１に使用される。
浄化処理を行った業者からは、浄化水５の水質分析結果を書類で提供されたり、前記浄化水の水質分析データと前記浄化水の量のデータを、インターネットで配信することも可能である。この場合は前記船舶が寄港する水域の水質管理該当者が前記水質分析データと前記浄化水の量のデータを受信でき、前記船舶が寄港する前にバラスト水排出の許可の判断ができるので、バラスト水排出の作業がよりスムースに実施できる。
【００２３】
その結果、寄港水域管理者は前記書類、またはインターネット情報により寄港した船舶内のバラスト水の水質が容易に確認できるので当該船舶の入港を許可する確認作業が容易である。当該水域では浄化されたバラスト水が放出されるので、従来のように油分で汚染されたり、バクテリアやプランクトンが異常繁殖して赤潮を発生したり、貝毒性のプランクトンが増殖したりして、当該水域の魚や貝の養殖等に被害が発生を抑えることが可能である。
【００２４】
船舶内にはバラスト水専用の浄化装置を設置する必要がないので、追加電源設備の設置や浄化するための作業がなくなるので、船員の労働を増加させない。
【００２５】
上述したように、船舶内には浄化されたバラスト水が注水されるので、バラスト水を水深２０００ｍ以上の洋上の海水と交換する必要が無く、その海域移動する費用が必要が無くなるので航行日数の増加がなく、商用航海の効率が上がる。
【００２６】
本実施例によれば、空荷時に高水質のバラスト水を船内に注入できるので、状来のバラスト水を交換して船内のバラスト水を浄化する方法に比べバラスト水の水質が向上し、当該のバラスト水放出水域の魚や貝の養殖等に対する被害を抑えることができる。
【００２７】
一方、船舶内にバラスト水交換作業労働の必要がなくなるので、船員によるバラスト水浄化作業の労働が無くなり、船員の労働が軽減する。
【００２８】
また、軟水をバラスト水として使用しなければならない場合には、水深が２０００ｍを超える水域が存在しないので、上述した従来の処理方法において船内で浄化する方法しか採れないが、本実施例による浄化バラスト水を船舶に注水することにより、浄化装置は不要となり、また船員は浄化作業や装置メンテナンス等の労働負担が発生せず、また浄化運転のために船内の電力を使用しないので船内の電源設備を増設する必要が無く、浄化装置設置コスト不要で、船員の労働負担がなく、電源設備の増設コストが不要となる効果がある。
【００２９】
尚、どうしても浄化されたバラスト水が搭載できず、汚濁したバラスト水を搭載してくる船舶１２に対しては、本発明になる他の実施例として示す図２の浄化装置および浄化水供給システムにて対応が可能である。
【００３０】
図２において、配管１０からポンプ９を介して水槽７内に、船内バラスト水１３を取り出して保留させ、配管６から浄化装置２にくみ上げて浄化し、浄化された水が配管４を通じて水域１に放流させる。
このようにして汚濁したバラスト水を浄化して当該水域に放流することで、バラスト水に汚濁として含まれていた油分でバラスト水の放水水域が汚染されたり、バクテリアやプランクトンが異常繁殖して赤潮を発生したり、貝毒性のプランクトンが増殖したりして、当該水域の魚や貝の養殖等に対する被害が抑えることが可能である。また、本実施例では、船内のバラスト水を希釈せずに浄化処理できるので、少ない浄化費用でバラスト水中の汚濁物を除去できる。
【００３１】
一方、水域が海であるある場合、どうしても浄化された海水のバラスト水を供給する図２の浄化装置および浄化水供給システムが設置できない場合、本発明になる他の実施例として示す図３に示す手段で対応が可能である。
【００３２】
図３において、当該水域に近い河川や下水処理水の軟水を浄化水供給システムの水槽７内に配管１４で供給し、浄化装置２で大きなごみ等を分離する粗く浄化し、浄化水１５は配管６を通じて水槽７に貯水される。本浄化軟水をバラスト水としてポンプ１６で加圧され配管１７、１８を通じて水域１内に停泊する船舶１９に例えば有料で供給される。寄港水域管理者は前記書類により寄港した船舶内のバラスト水の水質が軟水であるとの確認ができるので当該船舶の入港を許可する確認作業が容易であり、バラスト水が当該水域で放出されることによっても、軟水中で生息していたバクテリアやプランクトンは海水内ではすべてが死滅するため、異常繁殖して赤潮を発生したり、貝毒性のプランクトンが増殖したりして、当該水域の魚や貝の養殖等への被害を抑えることが可能である。
【００３３】
水域が中東域のように軟水が貴重な水資源である海である場合、本発明になる他の実施例として図４に示す手段で対応が可能である。
【００３４】
図４において、船舶１９の軟水のバラスト水１５を、配管１０からポンプ９を介して水槽７内に、船内バラスト水１５を取り出して保留させ、配管６から浄化装置２にくみ上げて浄化し、浄化水を配管２１を通じて、陸上の園芸、農耕用軟水や、飲料水として送水できる。
このようにして、汚濁した軟水バラスト水は浄化されて当該水域地区の園芸や農業の用水としてや、さらに高度処理されて飲料水として再利用できる。したがって、当該船舶が寄港する水域でバクテリアやプランクトンが異常繁殖して赤潮を発生したり、貝毒性のプランクトンが増殖したりして、当該水域の魚や貝の養殖等の被害発生がなくなる効果が生じる。
【００３５】
本実施例によれば、浄化装置および浄化水供給システムを水域内に配置した場合について説明したが、前記浄化装置および浄化水供給システムの全体もしくはその一部が陸上にあっても同様な効果がある。
【００３６】
以上のごとく、船舶に浄化されたバラスト水を注入し、このバラスト水を放出するので、バラスト水放出水域におけるバラスト水放出によ水域の高濃度の汚濁物を含む汚染を防止することができる。また、浄化されていないバラスト水を浄化水供給システム内に保留し、浄化装置で浄化した後水域に放出することにより、バラスト水放出水域においてバラスト水放出によって生じる汚染を防止することができる。
【００３７】
さらに、本実施例によれば、船舶が寄港水域において、浄化装置で予め浄化された海水もしくは軟水の浄化水を貯留した水槽を有する浄化水供給システムを設け、前浄化水をバラスト水として水質分析検査を示す書類とともに船舶に供給することができる。これにより、寄港水域管理者は前記書類により寄港した船舶内のバラスト水の水質が確認できるので当該船舶の入港を許可する確認作業が容易であり、バラスト水が当該水域で放出されることによって、油分で汚染されたり、バクテリアやプランクトンが異常繁殖して赤潮を発生したり、貝毒性のプランクトンが増殖したりして、当該水域の魚や貝の養殖等に被害が発生しない効果が生じる。
【００３８】
また、船舶内にはバラスト水専用の浄化装置を設置する必要がないので、追加電源設備を設置する必要が無く、また浄化するための作業がなくなるので、船員の労働を増加させない効果が生じる。
【００３９】
また、汚濁したバラスト水を搭載してくる船舶１２に対しては、浄化装置および浄化水供給システムを有する水域において、船内バラスト水を前記システム内に取り出して保留させ、浄化装置で浄化したのち、水域に放流できるので、バラスト水に汚濁として含まれていた油分でバラスト水の放水水域が汚染されたり、バクテリアやプランクトンが異常繁殖して赤潮を発生したり、貝毒性のプランクトンが増殖したりして、当該水域の魚や貝の養殖等に被害が発生しない効果が生じる。また、船内のバラスト水を希釈せずに浄化処理できるので、少ない浄化費用でバラスト水中の汚濁物を除去できる効果がある。
【００４０】
また、水域が海であるある場合、河川や下水処理水の軟水を浄化水供給システムの水槽内に貯留して船舶にバラスト水として軟水としての水質検査の書類とともに供給できるので、寄港水域管理者は前記書類により寄港した船舶内のバラスト水の水質が軟水であるとの確認、バラスト水が当該水域で放出されることによっても、軟水中で生息していたバクテリアやプランクトンは海水内ではすべてが死滅するため、異常繁殖して赤潮を発生したり、貝毒性のプランクトンが増殖したりして、当該水域の魚や貝の養殖等に被害が発生しなくなる効果が生じる。
【００４１】
また、水域が中東域のように軟水が貴重な水資源である海である場合、軟水のバラスト水を、浄化装置を有する浄化水供給システム内の水槽内に貯留し、浄化装置で浄化したのち、浄化水を陸上の園芸、農耕用軟水や、飲料水として送水できる。
【００４２】
このようにして、汚濁した軟水バラスト水は浄化されて当該水域地区の園芸や農業の用水としてや、さらに高度処理されて飲料水として再利用できる効果がある。したがって、当該船舶が寄港する水域でバクテリアやプランクトンが異常繁殖して赤潮を発生したり、貝毒性のプランクトンが増殖したりして、当該水域の魚や貝の養殖等の被害発生がなくなる効果が生じる。
【００４３】
尚、前記浄化装置および浄化水供給システムは、全体若しくは一部が海上を移動する構造であっても同様な効果が生じる。
【００４４】
【発明の効果】
本発明によれば、荷揚げ先のバラスト水放出水域における油やプランクトン等の汚濁物による汚染を抑えことができる浄化装置および浄化水供給システムを提供できる。
【図面の簡単な説明】
【図１】図１は、本発明になる一実施例の浄化装置および浄化水供給システムのフロー図である。
【図２】図２は、本発明になる他の実施例の浄化装置および浄化水供給システムのフロー図である。
【図３】図３は、本発明になる他の実施例の浄化装置および浄化水供給システムのフロー図である。
【図４】図４は、本発明になる他の実施例の浄化装置および浄化水供給システムのフロー図である。
【符号の説明】
１…水域、２…浄化装置、３…浄化水供給システム、４…配管、５…浄化水、６…配管、７…水槽、８…配管、９…ポンプ、１０…配管、１１…船舶。
【図１】
2004025040.tif 000003
【図２】
2004025040.tif 000004
【図３】
2004025040.tif 000005
【図４】
2004025040.tif 000006